(57)【要約】【課題】短寸のドライバビットを確実に着脱可能に保持できると共に、挿着されたドライバビットの引き出しが容易にできるビット保持具及び該ビットに保持されるビット構造を提供する。【解決手段】ドライバビット５はビット保持具の柄部に嵌着されるビット挿着部１の角状の貫通孔４に挿入され、貫通孔４の後端のマグネット３に磁着して保持される。なお、ドライバビット５は短寸のものからなり、ビット挿着部１の前端近傍に凹溝９（係止溝）が臨む状態となる。これによりドライバビット５の全長は短寸のものからなり、ドライバビット５のひき出しは凹溝９に爪先１６を係着して引き出すことにより容易に行われる。【選択図】図６
2006051563.tif 000002
【特許請求の範囲】
【請求項１】
ドライバビットを着脱可能に保持するビット保持具及び該保持具に保持されるビット構造であって、前記ビット保持具は、握持用の柄部と、該柄部に嵌着されるビット挿着部とからなり、該ビット挿着部は、前記ドライバビットの角状の軸部を回動拘束状態に保持する角状の貫通孔と、該貫通孔の前記ドライバビットの挿入方向と逆の一端側に嵌着されるマグネットとを有するものからなり、前記ビット構造は、前記貫通孔内に挿入される角状の軸部と、先端に形成されるビット刃部と、該ビット刃部と前記軸部との間に形成される凹溝とを有するものからなり、前記貫通孔への挿入時において、前記ドライバビットは、その基端面を前記マグネットに磁着し、その状態で前記凹溝が前記ビット挿着部の前端面にほぼ臨む位置に配置される全長が短寸のものからなることを特徴とするビット保持具及び該保持具に保持されるビット構造。
【請求項２】
前記凹溝が、人間の爪先の係止可能な係止溝からなることを特徴とする請求項１に記載のビット構造。
【請求項３】
前記マグネットが、前記ドライバビットの磁着側と反端の端面に非磁性体を環着するものからなることを特徴とする請求項１に記載のビット保持具。
【発明の詳細な説明】
【技術分野】
【０００１】
本発明は、柄部に嵌着されドライバビットを回動拘束状態で保持するドライバ保持具と、これに保持されるビット構造に係り、特に、短寸のドライバビットを磁力により保持するビット保持具及び該ビットに保持されるビット構造に関する。
【背景技術】
【０００２】
図９に示すように、ドライバビット５ａは、細長な握持用の柄部６ａの先端に嵌着されるビット挿着部１ａに挿着されて使用される場合が多い。また、「特許文献１」に示すような「ビット保持機構」により保持されて使用される。
【特許文献１】実用新案公開平６−５３０６５（図１）
【発明の開示】
【発明が解決しようとする課題】
【０００３】
図９に示すビット保持具１００ａとしては、ドライバビット５ａの角状の軸部７ａの挿着される角状の貫通孔４ａを形成する筒体２ａからなるビット挿着部１ａと、このビット挿着部１ａの嵌着される柄部６ａとからなる。この筒体２ａの先端側には貫通孔４ａ内に挿入されるドライバビット５ａを固持するための固持具１４（例えば、ピン）が設けられている。ドライバビット５ａ自体の構想としては、例えば、軸部７ａと、その両端に形成されるビット刃部８ａとからなり、その全長Ｌ2は比較的長寸のものからなる。これは、図示のように筒体２ａの先端側に固持具１４を形成する必要があり、柄部６ａの前端面からビット刃部８ａの先端までの長さａがある程度の長さを必要とすると共にドライバビット５ａの軸部７ａが筒体２ａの貫通孔４ａ内にある程度の長さだけ挿着される必要があるためである。
【０００４】
一方、「特許文献１」の実用新案公開平６−５３０６５号の「ドライバービット保持機構」は、六角形又は丸型の軸端部を有するドライバービット（１２）を互換的に着脱可能に保持する保持機構を開示するものであるが、図示のようにドライバービット（１２）は保持機構の端面からなり長くはみ出した状態で挿着される。
【０００５】
図９に示すように、ビット挿着部１ａに挿着されたドライバビット５ａの柄部６ａの前端面からのはみ出し長さａが長いと使用時の操作性が低下する問題点があると共に、柄部６ａの回動時におけるビット刃部８ａの捩れ抵抗力が長さａに比例して低下する問題点がある。また、「特許文献１」の「ドライバービット保持具」の場合もドライバービット（１２）のはみ出し長さが長い程、ビットの捩れ量が大となり捩れ抵抗力が低下する問題点がある。即ち、ドライバビットはビット挿着部に挿入された状態でそのはみ出し長さが短ければ短い程よい。
【課題を解決するための手段】
【０００６】
本発明は、以上の事情に鑑みて発明されたものであり、その請求項１の発明は、ドライバビットを着脱可能に保持するビット保持具及び該保持具に保持されるビット構造であって、前記ビット保持具は、握持用の柄部と、該柄部に嵌着されるビット挿着部とからなり、該ビット挿着部は、前記ドライバビットの角状の軸部を回動拘束状態に保持する角状の貫通孔と、該貫通孔の前記ドライバビットの挿入方向と逆の一端側に嵌着されるマグネットとを有するものからなり、前記ビット構造は、前記貫通孔内に挿入される角状の軸部と、先端に形成されるビット刃部と、該ビット刃部と前記軸部との間に形成される凹溝とを有するものからなり、前記貫通孔への挿入時において、前記ドライバビットは、その基端面を前記マグネットに磁着し、その状態で前記凹溝が前記ビット挿着部の前端面にほぼ臨む位置に配置される全長が短寸のものからなることを特徴とする。
【０００７】
また、請求項２の発明は、前記凹溝が、人間の爪先の係止可能な係止溝からなることを特徴とする。
【０００８】
また、請求項３の発明は、前記マグネットが、前記ドライバビットの磁着側と反端の端面に非磁性体を環着するものからなることを特徴とする。
【発明の効果】
【０００９】
本発明の請求項１のビット保持具及び該ビットに保持されるビット構造によれば、ビット挿着部は貫通孔の一端にマグネットを嵌着するものからなり、ドライバビットは前記マグネットに磁着された状態でビット挿着部に固持されるため従来技術のような固持具を必要とせず、ビット挿着部からのはみ出し量を小さくすることができ、短寸のものに形成可能となる。よってビット刃部への捩れ量が低下し大きな回転力を対象物に与えることができる。
【００１０】
また、本発明の請求項２のビット構造によれば、凹溝を人間の爪先の係止可能な係止溝にすることにより、ビット挿着部からのドライバビットの脱出が爪による引き出しにより行われ、簡単な脱出が可能となる。
【００１１】
また、本発明の請求項３のビット保持具によれば、マグネットの端面に非磁性体を環着することにより前記マグネットのドライバビット側への磁力を向上することができ、ドライバビットの保持力の向上が図れる。
【発明を実施するための最良の形態】
【００１２】
以下、本発明のビット保持具及び該ビットに保持されるビット構造の実施の形態を図面を参照して詳述する。本発明はドライバビットを保持するビット保持具と、これに保持されるビット構造からなるが、まず、ビット保持具の構造を説明し後にビット構造を説明する。
【実施例１】
【００１３】
ビット保持具としては各種形態のものがあるが、この実施例では細長な柄部の先端にビット挿着部を嵌着するタイプのものを説明するが、勿論、本発明はこれに限定するものではない。図４に示すようにビット保持具１００は大別して握持用の柄部６とビット挿着部１とからなる。
【００１４】
柄部６は図示のように相対向する一対の細長の板１５，１５からなり、この板１５，１５間にはラチェットホイール１０やラチェット爪１１及び板１５，１５間の間隔を保持する介在体１２が設けられている。なお、このラチェットホイール１０やラチェット爪１１等の構造は公知技術であり、その説明を省略する。また、本実施例では柄部６はその下端部において傾斜するものからなるが、２点鎖線で示すように真直のものでもよい。
【００１５】
ビット挿着部１は図１乃至図４に示すような筒体２とマグネット３等とからなり、図４に示すように筒体２はラチェットホイール１０の中心に嵌着されて柄部６の板１５，１５間に枢支される。ビット挿着部１の筒体２はその内部に角状（本実施例では六角状）の断面形状の貫通孔４を形成するものからなり、この貫通孔４の一端側（ドライバビット５の挿入する側と反対側）には前記のマグネット３が嵌着される。なお、前記の筒体２の軸長は柄部６の板１５，１５間の幅とほぼ等しいものでもよいが、後記するビット構造のドライバビット５を安定保持するため柄部６の幅よりも若干長いものからなるがこれに限定するものではない。
【００１６】
次に、ビット保持具１００のビット挿着部１に着脱可能に挿着されるビット構造について説明する。このビット構造は図５（ａ），（ｂ）に示すドライバビット５からなる。このドライバビット５は図示のように六角状の軸部７とビット刃部８とこの間に形成される凹溝９とからなる。なお、軸部７はビット挿着部１の筒体２の貫通孔４に着脱可能に挿着される形状のものからなる。この軸部７は貫通孔４内に挿入された状態でその挿入端面がマグネット３に当接すると共に挿入端面と逆の端面が貫通孔４の前端面とほぼ同一位置に来る軸長のものからなる。凹溝９は軸部７とビット刃部８との間に形成されているため図６に示すように凹溝９はドライバビット５の挿着時において筒体２の前端面にほぼ臨む位置に来る。即ち、筒体２の前端面からは凹溝９とビット刃部８のみがはみ出ることになる。よって、ドライバビット５の全長Ｌ1は図９に示した従来のドライバビット５ａに較べてはるかに短寸のものからなる。
【００１７】
図６はビット挿着部１にドライバビット５を挿着した状態を示す断面図である。図示のように、ドライバビット５はその軸部７の後端面をマグネット３に当接し貫通孔４内に保持される。また、この状態で軸部７は筒体２内にすっぽり収納され、ドライバビット５としては凹溝９の部分を筒体２の前端面から臨んだ位置に来る状態で挿着される。以上により、ビット刃部８は図９に示した従来のビット刃部８ａに較べるとはみ出し量が極端に短くビット保持具１００の作動時におけるビット刃部８への捩れ量を大幅に低減することができ、従来技術に較べて強固の締め付けが可能になる。
【００１８】
図６に示すように、ドライバビット５はビット挿着部１に軸部７をすっぽり挿着するものからなり、ドライバビット５をビット挿着部１から引き出（脱出）させる場合に軸部７を把持することができない。従って、本発明のビット構造では図６に示すように凹溝９を係止溝として機能させ、人の指１６の爪先を前記凹溝９に係着させてドライバビット５を手前に引くことによりドライバビット５をビット挿着部１から容易に引き出すことができる。即ち、ドライバビット５の挿脱が容易に行われる。
【００１９】
本発明のビット保持具１００はビット挿着部１の一端面にマグネット３を嵌着するものからなるため、図７に示すように、そのマグネット３の磁力を利用することにより磁性体の台１７に磁着させて一次保管することができる。よって、不使用時におけるビット保持具１００の保管の容易化が図れ、かつ紛失防止等の機能の向上が図れる。
【実施例２】
【００２０】
図８は本発明のビット挿着部の別の実施例を示すものである。このビット挿着部１Ａは、マグネット３の端面を非磁性体１３で覆ったものであり、その他の構造は図１等に示すものと同一の構造からなる。マグネット３を非磁性体１３で覆うことにより、マグネット３からの磁力線がマグネット３の前面側のみに集中することができ、実施例１のマグネット３に較べてマグネット３の有効磁力の向上を図ることができる。
【産業上の利用可能性】
【００２１】
本発明のビット保持具は前記の柄部の一部にビット挿着部を嵌着したものに限らず、ビット保持具のすべてに適用することが可能となり、その利用範囲は極めて広い。
【図面の簡単な説明】
【００２２】
【図１】本発明のビット挿着部の構造を示す軸断面図。
【図２】図１のＡ矢視の側面図。
【図３】図１のＢ矢視の側面図。
【図４】本発明のビット保持具を全体概要構造を示す断面図。
【図５】本発明のビット構造のドライバビットの構造を示す平面図（ａ）及び上面図（ｂ）。
【図６】本発明のビット挿着部にドライバビットが挿入された状態を示すと共に挿着されたドライバビットのひき出し方法を説明するための模式断面図。
【図７】本発明のビット保持具の保管方法の１つを示す模式図。
【図８】本発明のビット挿着部の他の実施例を示す軸断面図。
【図９】従来のビット保持具の概要構造を示す模式図。
【符号の説明】
【００２３】
１      ビット挿着部
１Ａ    ビット挿着部
２      筒体
３      マグネット
４      貫通孔
５      ドライバビット
６      柄部
７      軸部
８      ビット刃部
９      凹溝
１０    ラチェットホイール
１１    ラチェット爪
１２    介在板
１３    非磁性体
１４    固定具
１５    板
１６    爪先
１７    台
１００  ビット保持具
【図１】
2006051563.tif 000003
【図２】
2006051563.tif 000004
【図３】
2006051563.tif 000005
【図４】
2006051563.tif 000006
【図５】
2006051563.tif 000007
【図６】
2006051563.tif 000008
【図７】
2006051563.tif 000009
【図８】
2006051563.tif 000010
【図９】
2006051563.tif 000011